【事件の表示】
　特願２００２−３７０２９６「パチンコ機の制御装置」拒絶査定不服審判事件〔平成１６年　７月１５日出願公開、特開２００４−１９５０９５〕について、次のとおり審決する。
【結　論】
　本件審判の請求は、成り立たない。
【理　由】
　
第一、手続きの経緯
　本願は、平成１４年１２月２０日の出願であって、平成２０年１０月２９日付けで拒絶理由が通知され、これに対し、同年１２月２２日付けで手続補正がなされ、平成２１年２月６日付けで拒絶査定がなされ、これに対し、同年３月１２日付けで拒絶査定不服の審判請求がなされるとともに、同年４月１０日付け手続補正書によって明細書の一部が補正されたものである。
　なお、当審において、平成２１年１２月２５日付けで審査官による前置報告書の内容を添付して審尋を行い、平成２２年２月２５日に回答書が提出されている。
　　　
第二、平成２１年４月１０日付けの手続補正についての補正却下の決定
［補正却下の決定の結論］
　平成２１年４月１０日付けの手続補正（以下、「本件補正」という。）を却下する。
［理由］
　（１）補正前・後の本願発明　　
　本件補正は、補正前（平成２０年１２月２２日付けの手続補正により補正された特許請求の範囲）の、 
 「【請求項１】　入賞部品への球の入賞を検出した入賞検出信号の入力で当該入賞検出信号に対応する制御処理を実行し、実行した制御処理の結果で動作部品を駆動するパチンコ機の制御装置において、
上記制御装置は、スピーカの放出する音や音声を制御する音制御装置と、表示灯の点灯パターンを制御する表示灯制御装置と、上記音制御装置と上記表示灯制御装置とに対する制御処理を行う主制御装置とを有し、
上記音制御装置は、音処理部と音駆動部とに機能分割されて別体として構成され、
上記表示灯制御装置は、表示灯処理部と表示灯駆動部とに機能分割されて別体として構成され、
上記音処理部と上記表示灯処理部とは、制御処理部として遊技盤に取り付けられる単一の盤側回路基板に構成され、
上記音駆動部と上記表示灯駆動部とは、駆動部として遊技機枠に取り付けられる単一の枠側回路基板に構成されて成る
ことを特徴とするパチンコ機の制御装置。」 
 を以下のように補正するものである（当審で補正部分に下線を付与した）。　 
 　　　 
 「【請求項１】　入賞部品への球の入賞を検出した入賞検出信号の入力で当該入賞検出信号に対応する制御処理を実行し、実行した制御処理の結果で動作部品を駆動するパチンコ機の制御装置において、
上記制御装置は、スピーカの放出する音や音声を制御する音制御装置と、表示灯の点灯パターンを制御する表示灯制御装置と、上記音制御装置と上記表示灯制御装置とに対する制御処理を行う主制御装置とを有し、
上記音制御装置は、音処理部と音駆動部とに機能分割されて別体として構成され、
上記表示灯制御装置は、表示灯処理部と表示灯駆動部とに機能分割されて別体として構成され、
上記音処理部と上記表示灯処理部とは、制御処理部として
単一の盤側回路基板に構成されて、遊技盤に取り付けられ
上記音駆動部と上記表示灯駆動部とは、駆動部として
単一の枠側回路基板に構成されて、遊技機枠に取り付けられて
ことを特徴とするパチンコ機の制御装置。」  
　 　
　要するに、本件補正は、　
　イ）補正前の特許請求の範囲の請求項１に記載された発明を特定するために必要な事項である「音処理部と表示灯処理部」について、「制御処理部として遊技盤に取り付けられる単一の盤側回路基板に構成され、」を「制御処理部として単一の盤側回路基板に構成されて、遊技盤に取り付けられ、」と補正し、
　ロ）同「音駆動部と表示灯駆動部」について、「駆動部として遊技機枠に取り付けられる単一の枠側回路基板に構成されて成る」を「駆動部として単一の枠側回路基板に構成されて、遊技機枠に取り付けられて成る」と補正するものである。
　
　（２）補正の目的について　　
　本件補正の前後において、「音処理部と表示灯処理部」が「単一の盤側回路基板に構成され」ること及び「遊技盤に取り付けられ」ることに何ら技術的な変更点は認められず、また「音駆動部と表示灯駆動部」が「単一の枠側回路基板に構成され」ること及び「遊技機枠に取り付けられ」ることに何ら技術的な変更点は認められない。 
　したがって、本件補正は、平成１８年法律第５５号改正附則第３条第１項によりなお従前の例によるとされる同法による改正前の特許法第１７条の２第４項各号に規定する、請求項の削除、特許請求の範囲の減縮、誤記の訂正、及び明りょうでない記載の釈明のいずれをも目的とするものでないことは明らかであるから、同法第１５９条第１項において読み替えて準用する同法第５３条第１項の規定により却下すべきものである。
　
　
　なお、審判請求人は上記回答書の「
２．目的外補正について
　
　補正後の請求項１の「上記音処理部と上記表示灯処理部とは、制御処理部として単一の盤側回路基板に構成されて、遊技盤に取り付けられ」は、「音処理部と表示灯処理部」とが、「制御処理部として単一の盤側回路基板に構成されて」、その後に「遊技盤に取り付けられる」という取り付けの手順を特定しており、「上記音駆動部と上記表示灯駆動部とは、駆動部として単一の枠側回路基板に構成されて、遊技機枠に取り付けられ」についても同様であり（審決注　即ち「音駆動部と表示灯駆動部」とが、「駆動部として単一の枠側回路基板に構成されて」、その後に「遊技機枠に取り付けられる」という取り付けの手順を特定しており）、本件補正は、特許請求の範囲を限定的に縮小したもので、特許法第１７条の２第４項の規定に違反するものではない。
　
　そこで、本件補正が補正要件を満たしているかどうかを検討する。
　１）本願の出願当初の明細書における「音処理部と表示灯処理部」と「盤側回路基板」、「遊技盤」との関連構成及び「音駆動部と表示灯駆動部」と「枠側回路基板」、「遊技機枠」との関連構成に係る記載を集めると（下線は当審で付与したもの）、
　１ａ）【００１３】には「・・・音制御装置３の音処理部５および表示灯制御装置４の表示灯処理部７は図２の遊技盤９に取り付けられる単一の盤側回路基板３１に構成される。・・・音駆動部６および表示灯駆動部８は図２の遊技機枠１３に取り付けられる単一の枠側回路基板４１に構成される。・・・」と、
　１ｂ）【００１６】には「・・・本実施形態のように、音駆動部６と表示灯駆動部８とを遊技機枠１３に取り付ければ、
遊技盤９を交換する場合に、音駆動部６と表示灯駆動部８との取り外しおよび取り付け作業が不要
　１ｃ）【００１７】には「・・・また、音処理部５と表示灯処理部７とが単一の盤側回路基板３１に構成されることで、音処理部５と表示灯処理部７とが盤側回路基板３１に類似する別々の回路基板に構成された場合に比べ、
単一の盤側回路基板３１を遊技盤９に取り付ければよい
　１ｄ）本願の出願当初の明細書には、
　　　音処理部５および表示灯処理部７について「音制御装置３の音処理部５および表示灯制御装置４の表示灯処理部７は遊技盤９に取り付けられる単一の盤側回路基板３１に構成されることで、
単一の盤側回路基板３１を遊技盤９に取り付ければよい
　　　音駆動部６および表示灯駆動部８について「音駆動部６および表示灯駆動部８は遊技機枠１３に取り付けられる単一の枠側回路基板４１に構成される。」並びに「音駆動部６と表示灯駆動部８とを遊技機枠１３に取り付ければ、遊技盤９を交換する作業がやり易くなる。」との技術が記載されていると認められる。
　２）そうすると、本願の出願当初の明細書には、
　２ａ）「音処理部５と表示灯処理部７とが、制御処理部として単一の盤側回路基板に構成されて、その後に遊技盤に取り付けられる」技術及び「音駆動部６と表示灯駆動部８とが、単一の枠側回路基板４１に構成され、かつ音駆動部６と表示灯駆動部８とが遊技機枠１３に取り付けられる」技術は記載されているものの、
　２ｂ）「音駆動部と表示灯駆動部とが、駆動部として単一の枠側回路基板に構成されて、その後に遊技機枠に取り付けられる」技術は記載されていない。
　３）したがって、補正後の請求項１の「上記音駆動部と上記表示灯駆動部とは、駆動部として単一の枠側回路基板に構成されて、遊技機枠に取り付けられ」を「音駆動部と表示灯駆動部とが、駆動部として単一の枠側回路基板に構成されて、その後に遊技機枠に取り付けられる」と解釈することは「新規事項の追加」に該当し、本件補正は却下されることとなる。そして、「新規事項の追加」に該当する補正が「特許請求の範囲の減縮」に該当しないことは明らかであるから、審判請求人の「本件補正は、特許請求の範囲を限定的に縮小したもので、特許法第１７条の２第４項の規定に違反するものではない」旨の主張を採用することはできない。
　　　　
　　　
第三、本願発明について
　平成２１年４月１０日付けの手続補正は上記のとおり却下されることとなったので、本願の請求項１に係る発明は、上記平成２０年１２月２２日付けで補正された明細書の記載からみて、その特許請求の範囲の請求項１に記載された次のとおりのものである。
　「【請求項１】　入賞部品への球の入賞を検出した入賞検出信号の入力で当該入賞検出信号に対応する制御処理を実行し、実行した制御処理の結果で動作部品を駆動するパチンコ機の制御装置において、
上記制御装置は、スピーカの放出する音や音声を制御する音制御装置と、表示灯の点灯パターンを制御する表示灯制御装置と、上記音制御装置と上記表示灯制御装置とに対する制御処理を行う主制御装置とを有し、
上記音制御装置は、音処理部と音駆動部とに機能分割されて別体として構成され、
上記表示灯制御装置は、表示灯処理部と表示灯駆動部とに機能分割されて別体として構成され、
上記音処理部と上記表示灯処理部とは、制御処理部として遊技盤に取り付けられる単一の盤側回路基板に構成され、
上記音駆動部と上記表示灯駆動部とは、駆動部として遊技機枠に取り付けられる単一の枠側回路基板に構成されて成る
ことを特徴とするパチンコ機の制御装置。」（以下、「本願発明」という。）
　　
第四、刊行物に記載された発明
　刊行物１；特開２００２−１２６１９６号公報
　　　　　　　　　　　　　　　　　　　（平成１４年５月８日公開）
　刊行物Ａ；特開２００２−３１５９３２号公報
　　　　　　　　　　　　　　　　　　　（平成１４年１０月２９日公開）
　刊行物Ｂ；特開２００１−３０００１７号公報
　刊行物Ｃ；特開２００２−２２４２９５号公報
　　　　　　　　　　　　　　　　　　　（平成１４年８月１３日公開）
　刊行物Ｄ；特開２００２−２１９２３９号公報
　　　　　　　　　　　　　　　　　　　（平成１４年８月６日公開）
　刊行物Ｅ；特開２００２−１９１８２１号公報
　　　　　　　　　　　　　　　　　　　（平成１４年７月１０日公開）
　
　原査定の拒絶理由通知に引用され、本願出願前に頒布された特開２００２−１２６１９６号公報（以下、「引用刊行物１」という。）には以下の記載がある。
　（１ａ）「【０００７】そこで、本発明は、遊技機本体に対して交換部品が交換可能に取り付けられた構造の遊技機において、機種変更に伴って交換が必要となる部品点数を減少させることを目的とする。」、
　（１ｂ）「【００１７】
【発明の実施の形態】以下、本発明の一実施形態を図面を参照して説明する。まず、遊技機の一例であるパチンコ遊技機の全体の構成について説明する。図１はパチンコ遊技機１を正面からみた正面図である。・・・」、
　（１ｃ）「【００２３】遊技盤６には、複数の入賞口１９，２４が設けられ、遊技球のそれぞれの入賞口１９，２４への入賞は、対応して設けられている入賞口スイッチ１９ａ，１９ｂ，２４ａ，２４ｂによって検出される。・・・
【００２４】また、遊技領域７の外側の左右上部のガラス扉枠２には、効果音や音声を発する２つのスピーカ２７が設けられている。遊技領域７の外周のガラス扉枠２には、天枠ランプ２８ａ、左枠ランプ２８ｂおよび右枠ランプ２８ｃが設けられている。」、
　（１ｄ）「【００３１】遊技機裏面側では、可変表示部９を制御する図柄制御基板を含む可変表示制御ユニット２９、遊技制御用マイクロコンピュータ等が搭載された遊技制御基板（主基板）３１が設置されている。また、球払出制御を行う払出制御用マイクロコンピュータ等が搭載された払出制御基板３７、およびモータの回転力を利用して打球を遊技領域７に発射する打球発射装置が設置されている。さらに、遊技盤６に設けられているセンター飾りＬＥＤ６０ａ，６０ｂ，６０ｃ、大入賞口内飾りＬＥＤ６１ａ、大入賞口左飾りＬＥＤ６１ｂ、大入賞口右飾りＬＥＤ６１ｃ、始動記憶表示器１８およびゲート通過記憶表示器４１に信号を送るためのランプ制御基板３５、スピーカ２７からの音発生を制御するための音制御基板７０および打球発射装置を制御するための発射制御基板９１も設けられている。」、
　（１ｅ）「【００３３】さらに、枠側（本体側）に設けられている天枠ランプ６０ａ、左枠ランプ６０ｂ、右枠ランプ６０ｃ、賞球ランプ５１および球切れランプ５２に信号を送るための枠側ランプ基板３５Ｂ、および枠側に設けられているスピーカ２７に信号を送るための枠側音基板７０Ｂも設けられている。図３は、遊技機裏面に設置されている各基板の設置状況を示す説明図である。図３（Ａ）に示すように、主基板３１、ランプ制御基板３５、音制御基板７０および図柄制御基板８０は遊技盤６に取り付けられている。なお、可変表示制御ユニット２９も遊技盤６に取り付けられている。また、図３（Ｂ）に示すように、払出制御基板３７、発射制御基板９１、電源基板９１０、枠側ランプ基板３５（審決注；明細書全体の記載から見て「３５」は「３５Ｂ」の誤記と認められる。）および枠側音基板７０Ｂは、遊技枠側の例えば機構板に取り付けられている。
【００３４】図４は、主基板３１およびその他の基板における回路構成の一例を示すブロック図である。図４には、遊技盤６に設けられているランプ制御基板３５、音制御基板７０および図柄制御基板８０と、枠側に設けられている払出制御基板３７、発射制御基板９１、枠側ランプ基板３５Ｂおよび枠側音基板７０Ｂも示されている。なお、以下、払出制御基板３７、ランプ制御基板３５、音制御基板７０および図柄制御基板８０を電気部品制御基板ということがある。また、電気部品制御基板に搭載されているマイクロコンピュータを含む制御手段を電気部品制御手段ということがある。」、
　（１ｆ）「【００４０】なお、この実施の形態では、ランプ制御基板３５に搭載されているランプ制御用ＣＰＵおよびその周辺回路（ＲＯＭ、ＲＡＭ、Ｉ／Ｏポート等）で構成されるランプ制御手段が、遊技盤に設けられているセンター飾りＬＥＤ６０ａ，６０ｂ，６０ｃ、大入賞口内飾りＬＥＤ６１ａ、大入賞口左飾りＬＥＤ６１ｂ、大入賞口右飾りＬＥＤ６１ｃ、始動記憶表示器１８およびゲート通過記憶表示器４１の表示制御を行う。枠側に設けられている天枠ランプ６０ａ、左枠ランプ６０ｂ、右枠ランプ６０ｃ、賞球ランプ５１および球切れランプ５２の表示制御はランプ制御手段によって行われるが、それらのランプ・ＬＥＤへの信号は、枠側ランプ基板３５Ｂに搭載されている出力ドライバ回路（出力手段）を介して出力される。同様に、スピーカ２７から発せられる音の制御は音制御基板７０に搭載されている音声制御用ＣＰＵおよびその周辺回路（ＲＯＭ、ＲＡＭ、Ｉ／Ｏポート等）で構成される音制御手段によってなされるが、スピーカ２７への信号は、枠側音基板７０Ｂに搭載されている出力ドライバ回路（出力手段）を介して出力される。」、
　（１ｇ）「【００４３】図５は、主基板３１、ランプ制御基板３５および枠側ランプ基板３５Ｂにおける信号送受信部分を示すブロック図である。この実施の形態では、遊技盤に設けられているセンター飾りＬＥＤ６０ａ，６０ｂ，６０ｃ、大入賞口内飾りＬＥＤ６１ａ、大入賞口左飾りＬＥＤ６１ｂ、大入賞口右飾りＬＥＤ６１ｃ、始動記憶表示器１８およびゲート通過記憶表示器４１の点灯／消灯と、枠側に設けられている天枠ランプ６０ａ、左枠ランプ６０ｂ、右枠ランプ６０ｃ、賞球ランプ５１および球切れランプ５２の点灯／消灯とを示すランプ制御コマンドが主基板３１からランプ制御基板３５に出力される。また、始動記憶表示器１８およびゲート通過記憶表示器４１の点灯個数を示すランプ制御コマンドも主基板３１からランプ制御基板３５に出力される。」、
　（１ｈ）「【００５１】この実施の形態では、枠側に設けられている発光体（この例では、天枠ランプ６０ａ、左枠ランプ６０ｂ、右枠ランプ６０ｃ、賞球ランプ５１および球切れランプ５２）の点灯／消灯を示す信号は、電気部品制御手段としてのランプ制御手段が搭載されているランプ制御基板３５とは別の枠側ランプ基板３５Ｂに搭載されている出力手段としての枠側出力ドライバ回路３５７から出力される。枠側ランプ基板３５Ｂは、遊技盤６ではなく枠側に取り付けられている。従って、遊技盤６のコストを低減させることができる。なお、遊技盤６に設けられている発光体および枠側に設けられている発光体を点灯させるか消灯させるかの制御は、ともに、ランプ制御基板３５に搭載されているランプ制御用ＣＰＵ３５１によってなされている。」、
　（１ｉ）「【００５８】図７は、主基板３１における音制御コマンドの信号送信部分と音制御基板７０および枠側音基板７０Ｂの構成例を示すブロック図である。この実施の形態では、遊技進行に応じて、遊技領域７の外側に設けられているスピーカ２７の音出力を指示するための音制御コマンドが、主基板３１から音制御基板７０に出力される。」、
　（１ｊ）「【００６３】スピーカ２７には、＋１２Ｖ電圧が供給されるが、＋１２Ｖ電圧は電源基板９１０で生成され、主基板３１、音制御基板７０および枠側音基板７０Ｂを介してスピーカ２７に供給される。枠側音基板７０Ｂには、音制御基板７０から入力された＋１２Ｖ電圧のノイズを除去するためのノイズ除去回路７０６も搭載されている。・・・
【００６４】この実施の形態では、枠側に設けられている音出力手段（この例では、スピーカ２７）から出力される音を示す信号は、電気部品制御手段としての音制御手段が搭載された音制御基板７０とは別の枠側音基板７０Ｂに搭載されている出力手段としての音量増幅回路７０４から出力される。枠側音基板７０Ｂは、遊技盤６ではなく枠側に取り付けられている。従って、遊技盤６のコストを低減させることができる。」。
　
　なお、上記（１ｄ）乃至（１ｈ）においては符号「６０ａ，６０ｂ，６０ｃ」の用語として「センター飾りＬＥＤ６０ａ，６０ｂ，６０ｃ」と「天枠ランプ６０ａ、左枠ランプ６０ｂ、右枠ランプ６０ｃ」とを重複して使用されているが、上記（１ｃ）における「【００２４】・・・天枠ランプ２８ａ、左枠ランプ２８ｂおよび右枠ランプ２８ｃ・・・」との記載及び図面（特に【図１】、【図４】、【図５】）の記載に基づき、正しくは「センター飾りＬＥＤ６０ａ，６０ｂ，６０ｃ」及び「天枠ランプ２８ａ、左枠ランプ２８ｂおよび右枠ランプ２８ｃ」と認め、以下の記載はこれによるものとした。
　
　したがって、上記の記載事項を併せると、引用刊行物１には、
「　遊技盤６には複数の入賞口１９，２４が設けられ、遊技球のそれぞれの入賞口１９，２４への入賞は、対応して設けられている入賞口スイッチ１９ａ，１９ｂ，２４ａ，２４ｂによって検出され、
　遊技領域７の外側の左右上部のガラス扉枠２には効果音や音声を発する２つのスピーカ２７が設けられ、遊技領域７の外周のガラス扉枠２には天枠ランプ２８ａ、左枠ランプ２８ｂおよび右枠ランプ２８ｃが設けられている　　　パチンコ遊技機１において、
　遊技機裏面側では、主基板３１、ランプ制御基板３５、音制御基板７０が遊技盤６に取り付けられ、
　天枠ランプ２８ａ、左枠ランプ２８ｂ、右枠ランプ２８ｃに信号を送るための枠側ランプ基板３５Ｂおよびスピーカ２７に信号を送るための枠側音基板７０Ｂは、遊技枠側の例えば機構板に取り付けられ、
　遊技盤に設けられている発光体（センター飾りＬＥＤ６０ａ，６０ｂ，６０ｃ、大入賞口内飾りＬＥＤ６１ａ、大入賞口左飾りＬＥＤ６１ｂ、大入賞口右飾りＬＥＤ６１ｃ、始動記憶表示器１８およびゲート通過記憶表示器４１）の点灯／消灯と、枠側に設けられている発光体（天枠ランプ２８ａ、左枠ランプ２８ｂ、右枠ランプ２８ｃ、賞球ランプ５１および球切れランプ５２）の点灯／消灯とを示すランプ制御コマンドが主基板３１からランプ制御基板３５に出力され、
　遊技盤６に設けられている発光体および枠側に設けられている発光体を点灯させるか消灯させるかの表示制御は、ともに、ランプ制御基板３５に搭載されているランプ制御用ＣＰＵ３５１およびその周辺回路で構成されるランプ制御手段によってなされ、
　枠側に設けられている発光体の点灯／消灯を示す信号は、ランプ制御手段が搭載されているランプ制御基板３５とは別の枠側ランプ基板３５Ｂに搭載されている出力手段としての枠側出力ドライバ回路３５７から出力され、
　遊技進行に応じて、遊技領域７の外側の枠側に設けられているスピーカ２７の音出力を指示するための音制御コマンドが、主基板３１から音制御基板７０に出力され、音制御基板７０に搭載されている音声制御用ＣＰＵおよびその周辺回路で構成される音制御手段によって音の制御はなされ、スピーカ２７から出力される音を示す信号は、音制御手段が搭載された音制御基板７０とは別の枠側音基板７０Ｂに搭載されている出力ドライバ回路を介して出力され、
　＋１２Ｖ電圧は電源基板９１０で生成され、主基板３１、音制御基板７０および枠側音基板７０Ｂを介してスピーカ２７に供給され、
　機種変更に伴って交換が必要となる部品点数を減少させることを目的とする、パチンコ遊技機１。」の発明（以下、「引用発明１」という。）が記載されていると認められる。
　
　特開２００２−３１５９３２号公報（以下、「周知刊行物Ａ」という。）には、以下の記載がある。
　（Ａ１）「【００２６】裏機構板３０の開口部３０ａには、遊技盤５の裏側に装着された裏カバー３７と、・・・とが夫々嵌合されている。・・・その裏カバー３７の上端部の内部（前側）に装着された基板ケース４０（図５参照）に図柄兼サウンド制御基板４１が収納されている。この図柄兼サウンド制御基板４１は、後述する図柄制御手段６０を構成する図柄制御基板と、サウンド制御手段７３を構成するサウンド制御基板とを同一基板にユニット化して設けられたものである。」、
　（Ａ２）「【００２７】このように、図柄制御基板とサウンド制御基板とが同一基板にユニット化されているため、・・・」。
　
　特開２００１−３０００１７号公報（以下、「周知刊行物Ｂ」という。）には、以下の記載がある。
　（Ｂ１）「【００２１】裏カバー３３は、図２に示すように、遊技盤４に装着された液晶表示手段１６等の遊技部品を裏側から覆うためのもので、遊技盤４に着脱自在に固定されている。裏カバー３３には、・・・ランプ制御基板４５を収納するランプ制御基板ケース４６と、音声制御基板４７を収納する音声制御基板ケース４８とが着脱自在に装着されている。・・・」、
　（Ｂ２）「【００３５】ランプ制御基板４５には、ランプ制御手段６０が設けられている。ランプ制御手段６０は、ランプ制御基板４５に装着されたＣＰＵ、ＲＯＭ、ＲＡＭ等により構成され、・・・」、
　（Ｂ３）「【００３６】音声制御基板４７には、音声制御手段６１が設けられている。音声制御手段６１は、音声制御基板４７に装着されたＣＰＵ、ＲＯＭ、ＲＡＭ等により構成され、・・・」、
　（Ｂ４）「【００８１】更に実施形態では、主制御基板４３に主遊技制御手段５５を、ランプ制御基板４５にランプ制御手段６０を、音声制御基板４７に音声制御手段６１を、払い出し制御基板５２に払い出し制御手段６２を夫々設け、各制御手段５５，６０，６１，６２　をその制御機能別に別々の基板に設ける別基板構成とする場合を例示しているが、必ずしも別基板構成とする必要はなく、例えば主遊技制御手段５５、ランプ制御手段６０及び／又は音声制御手段６１を共通基板に設ける等、制御手段５５，６０，６１，６２　の一部を共通の基板に設けても良い。」。　　
　
　特開２００２−２２４２９５号公報（以下、「周知刊行物Ｃ」という。）には、以下の記載がある。
　（Ｃ１）「【００１５】・・・また打撃槌１５、発射モータ１６は前枠２の裏側に装着されており、例えば発射モータ１６の裏側には、発射制御基板１８を収納する発射基板ケース１９が着脱自在に装着されている。」、
　（Ｃ２）「【００５５】発射制御基板１８には、発射制御手段１２４と回収制御手段１２３とが設けられている。発射制御手段１２４は、各ゲーム毎に適当な休止時間をおいて発射手段１０の発射動作を制御するためのもので、・・・」、
　（Ｃ３）「【００５６】回収制御手段１２３は、ゲームの開始前に回収手段８０を作動させて規定数の遊技球の回収処理を行うためのもので、・・・」、
　（Ｃ４）「【００７０】また、回収制御手段１２３を、主制御手段１１４が設けられた主制御基板５２とは別の発射制御基板１８上に設けているため、主制御基板５２の構成の複雑化、大型化等による製造コストの増加を抑えることができ、また故障時等の基板交換時のコストも低く抑えることができる。更に、回収制御手段１２３を、制御動作が回収制御手段１２３の制御動作と密接に関連する発射制御手段１２４と同じ発射制御基板１８上に設けているため、装置構成の簡略化による更なるコスト低減が可能である。」。
　
　特開２００２−２１９２３９号公報（以下、「周知刊行物Ｄ」という。）には、以下の記載がある。
　（Ｄ１）「【００３３】・・・さらに、機構板３６の下部には、モータの回転力を利用して打球を遊技領域７に発射する打球発射装置３４と、遊技効果ランプ・ＬＥＤ２８ａ，２８ｂ，２８ｃ、賞球ランプ５１および球切れランプ５２に信号を送るためのランプ制御基板３５が設置されている。」、
　（Ｄ２）「【０２１４】なお、表示制御基板８０、ランプ制御基板３５、および音制御基板７０を同一の基板で構成して、一つの基板で、表示、ランプ、および音を制御する構成とした場合であっても、上記のように表示、ランプ、および音をそれぞれ独立させた予告演出、あるいは同期させた予告演出を行うことが可能である。」。
　
　特開２００２−１９１８２１号公報（以下、「周知刊行物Ｅ」という。）には、以下の記載がある。
　（Ｅ１）「【０００８】単一基板４はプリント基板のような基板であって、遊技制御全般を主制御、図柄制御、音制御、表示灯制御、球払出制御及び球発射制御等の機能分割毎に対応する複数の領域１５；１６；１７；１８に区分され、それらの領域１５〜１８毎に機能分割された制御部品を実装する。単一基板４は例えば主制御、図柄制御、音制御及び表示灯制御等に対応する４つの領域１５〜１８に区分され、各領域１５〜１８の区分たる境界を単一基板４の板面よりＶ字形、Ｕ字形、角形、多角形等に切込まれた溝１９；２０；２１で外部より視認し得るように形成し、四隅に取付孔２２を有する。溝１９〜２１は単一基板４を分断（分割）してはいない。」、
　（Ｅ２）「【０００９】最も面積の広い領域１５には図外の主制御用のＣＰＵ、ＲＯＭ、ＲＡＭ等の半導体部品やそれ以外の電気部品を実装し、中程度の面積の一方の領域１６には図外の図柄制御用のＣＰＵ、ＲＯＭ、ＲＡＭ、半導集積回路等の半導体部品やそれ以外の電気部品を実装し、中程度の面積の他方の領域１７には図外の音制御用のＣＰＵ、ＲＯＭ、ＲＡＭ、半導集積回路等の半導体部品やそれ以外の電気部品を実装し、最も面積の狭い領域１８には図外の表示灯制御用のＣＰＵ、ＲＯＭ、ＲＡＭ、半導集積回路等の半導体部品やそれ以外の電気部品を実装する。尚、上記各領域に実装された電気部品は図２に仮想線Ｌで模式的に図示した。」、
　（Ｅ３）「【００１２】図３を参照し、前記遊技制御装置１をパチンコ機に搭載した構造について説明する。遊技制御装置１は遊技機枠体４１に設けられた電源装置４５から供給される電源でＣＰＵ、ＲＯＭ、ＲＡＭ、半導集積回路等の半導体部品やそれ以外の電気部品による電気的な制御動作を行うものであって、遊技機枠体４１に取付けられる枠側遊技制御装置４２と遊技機枠体４１に装着される遊技盤４３に取付けられる盤側遊技制御装置４４とにより構成される。枠側遊技制御装置４２は遊技盤４３の種類が異なる場合でも共通に使用可能である遊技の種類との関連が浅い制御としての球払出制御や球発射制御等を備え、盤側遊技制御装置４４は遊技盤４３の種類が異なる場合には交換が必要である遊技の種類との関連が深い制御としての主制御、図柄制御、音制御及び表示灯制御等を備える。遊技盤４３と遊技機枠体４１とに搭載される制御装置が個別に単一体として集約でき、遊技盤４３を交換する場合でも枠側遊技制御装置４２はそのまま使用可能である。・・・」、
　（Ｅ４）「【００１３】主制御は遊技全般を制御するものであり、球払出制御、球発射制御、図柄制御、音制御及び表示灯制御は主制御から一方向に出力されるコマンドにより動作する従制御である。例えば、図１に示す遊技制御装置１を盤側遊技制御装置４４とすれば、枠側遊技制御装置４２は図１に示すベース２とカバー３とからなる容器に収納された単一基板４において、図１の溝１９〜２１で区分された領域１５〜１８の数を２つとみなし、一方の領域に球払出制御用のＣＰＵ、ＲＯＭ、ＲＡＭ等の半導体部品やそれ以外の電気部品を実装し、他方の領域に球発射制御用のＣＰＵ、ＲＯＭ、ＲＡＭ等の半導体部品やそれ以外の電気部品を実装するものと読替えれば容易に実施できることは理解できるであろう。」。
　　　　
第五、本願発明と引用発明１との比較・検討
　（五ａ）引用発明１の「複数の入賞口１９，２４」は、本願発明の「入賞部品」に相当し、以下同様に、「遊技球」は「球」に、「パチンコ遊技機１」は「パチンコ機」に、「スピーカ２７」は「スピーカ」に、「発光体」は「表示灯」に、「主基板３１」は「主制御装置」に、「音制御基板７０」は「音処理部」に、「枠側音基板７０Ｂ」は「音駆動部」に、「ランプ制御基板３５」は「表示灯処理部」に、「枠側ランプ基板３５Ｂ」は「表示灯駆動部」に、「遊技盤６」は「遊技盤」に、「遊技枠」は「遊技機枠」に、それぞれ相当する。
　（五ｂ）入賞口及び入賞口スイッチを備えたパチンコ遊技機が入賞検出信号に基づき作動する制御装置を有し、該制御装置の制御内容に対応して発音や発光などが行われパチンコ遊技が進行することはパチンコ遊技機の分野においては技術常識である。そして、引用発明１は「遊技進行に応じて、スピーカ２７の音出力を指示するための音制御コマンドが、主基板３１から音制御基板７０に出力され、音制御基板７０に搭載されている音制御手段によって音の制御はなされ、スピーカ２７から出力される音を示す信号は、音制御手段が搭載された音制御基板７０とは別の枠側音基板７０Ｂに搭載されている出力手段から出力され」るものであり、また「ランプ制御コマンドが主基板３１からランプ制御基板３５に出力され」、「発光体を点灯させるか消灯させるかの表示制御は、ランプ制御基板３５に搭載されているランプ制御手段によってなされ」、「枠側に設けられている発光体の点灯／消灯を示す信号は、ランプ制御手段が搭載されているランプ制御基板３５とは別の枠側ランプ基板３５Ｂに搭載されている出力手段から出力され」るものであるから、引用発明１が本願発明の「入賞部品への球の入賞を検出した入賞検出信号の入力で当該入賞検出信号に対応する制御処理を実行し、実行した制御処理の結果で動作部品を駆動するパチンコ機の制御装置」、「スピーカの放出する音や音声を制御する音制御装置と、表示灯の点灯パターンを制御する表示灯制御装置と、上記音制御装置と上記表示灯制御装置とに対する制御処理を行う主制御装置とを有する、制御装置」、「音処理部と音駆動部とに機能分割されて別体として構成される、音制御装置」、「表示灯処理部と表示灯駆動部とに機能分割されて別体として構成される、表示灯制御装置」に相当する事項を有していることは技術常識から明らかである。
　（五ｃ）引用発明１の「音制御基板７０」は「音声制御用ＣＰＵおよびその周辺回路」が搭載され、同「ランプ制御基板３５」は「ランプ制御用ＣＰＵ３５１およびその周辺回路」が搭載され、両者は遊技盤６に取り付けられているから、引用発明１が本願発明の「音処理部と表示灯処理部とは、制御処理部として遊技盤に取り付けられる盤側回路基板に構成され」に相当する事項を有していることは技術常識から明らかである。
　（五ｄ）引用発明１の「枠側音基板７０Ｂ」は「出力ドライバ回路」が搭載され、同「枠側ランプ基板３５Ｂ」は「枠側出力ドライバ回路３５７」が搭載され、両者は遊技枠側の例えば機構板に取り付けられているから、引用発明１が本願発明の「音駆動部と表示灯駆動部とは、駆動部として遊技機枠に取り付けられる枠側回路基板に構成され」に相当する事項を有していることは技術常識から明らかである。
　
　そうすると、両者の一致点及び相違点は次のとおりである。
　
　一致点
　入賞部品への球の入賞を検出した入賞検出信号の入力で当該入賞検出信号に対応する制御処理を実行し、実行した制御処理の結果で動作部品を駆動するパチンコ機の制御装置において、
　上記制御装置は、スピーカの放出する音や音声を制御する音制御装置と、表示灯の点灯パターンを制御する表示灯制御装置と、上記音制御装置と上記表示灯制御装置とに対する制御処理を行う主制御装置とを有し、
　上記音制御装置は、音処理部と音駆動部とに機能分割されて別体として構成され、
　上記表示灯制御装置は、表示灯処理部と表示灯駆動部とに機能分割されて別体として構成され、
　上記音処理部と上記表示灯処理部とは、制御処理部として遊技盤に取り付けられる盤側回路基板に構成され、
　上記音駆動部と上記表示灯駆動部とは、駆動部として遊技機枠に取り付けられる枠側回路基板に構成されて成る、パチンコ機の制御装置。
　
　相違点Ａ
　遊技盤に取り付けられる音処理部と表示灯処理部とが、本願発明では単一の盤側回路基板に構成されるのに対し、引用発明１では別々の盤側回路基板に構成される点
　相違点Ｂ
　遊技機枠に取り付けられる音駆動部と表示灯駆動部とが、本願発明では単一の枠側回路基板に構成されて成るのに対し、引用発明１では別々の枠側回路基板に構成されて成る点
　　
　そこで、上記相違点について検討する。
　相違点Ａ及びＢは「単一の回路基板に構成」する点において共通しているから併せて検討する。　　
　遊技機において別々の部材を制御する別々の制御部が遊技盤に取り付けられる単一の回路基板に構成される技術は、例えば周知刊行物Ａに示された「遊技盤５の裏側に装着された、図柄制御基板とサウンド制御基板とを同一基板にユニット化して設けられた図柄兼サウンド制御基板４１」及び周知刊行物Ｂに示された「遊技盤４に着脱自在に装着されている、ランプ制御手段６０及び音声制御手段６１を設けた共通基板」並びに周知刊行物Ｅに示された「遊技盤４３に取付けられる、主制御、図柄制御、音制御及び表示灯制御等を備える盤側遊技制御装置４４を構成する単一基板４」のように周知・慣用の技術である（以下、「周知・慣用の技術１」という。）。また、遊技機において別々の部材を制御する別々の制御部が遊技機枠に取り付けられる単一の回路基板に構成される技術は、例えば周知刊行物Ｃに示された「前枠２の裏側に装着される、発射制御手段１２４と回収制御手段１２３とが設けられている発射制御基板１８」及び周知刊行物Ｄに示された「機構板３６の下部に設置されている、同一の基板で構成される表示制御基板８０、ランプ制御基板３５、および音制御基板７０」並びに周知刊行物Ｅに示された「遊技機枠体４１に取付けられる、球払出制御や球発射制御等を備える枠側遊技制御装置４２を構成する単一基板４」のように周知・慣用の技術である（以下、「周知・慣用の技術２」という。）。そして、周知刊行物Ａ乃至Ｅは遊技機の制御基板において共通していることを併せて考慮すれば、当該「周知・慣用の技術１及び２」を引用発明１に適用し、相違点Ａ及びＢに係る本願発明を特定する事項とすることは当業者が容易になし得たものである。
　　　
　そして、効果の点においても、引用発明１は、「機種変更に伴って交換が必要となる部品点数を減少させることを目的とする」ものであるから、本願発明が格別の効果を有するとは認められない。
　　　
第六、むすび
　以上のとおり、本願発明は、引用発明１及び周知・慣用の技術に基づいて、当業者が容易に発明をすることができたものであるから、特許法第２９条第２項の規定により特許を受けることができない。
　よって、結論のとおり審決する。